(57)【要約】【課題】  極めて簡単な構成により、電気要素に設けられたコネクタへの着脱を容易に行うことができるフレキシブルフラットケーブルおよびこのフレキシブルフラットケーブルを備えた電子機器を提供することを目的とする。【解決手段】  フレキシブルフラットケーブル６は、導体６２と、この導体６２を被覆した絶縁部６３と、導体６２の端末を露出した端末接続部６１と、この端末接続部６１の近傍の絶縁部６３に沿って装着された補強板７とから形成する。補強板７は、コネクタ４２の内部に挿入され、少なくとも一部が絶縁部６３に固着された挿入領域７１と、コネクタ４２の外部に露出され、絶縁部６３に固着されない非挿入領域７２と、これら挿入領域７１と非挿入領域７２との境界近傍に形成された折り曲げ部７３とを備え、非挿入領域７２の幅を、挿入領域７１の幅より広く形成する。【選択図】図３
2008181772.tif 000002
【特許請求の範囲】
【請求項１】
電気要素と、この電気要素に設けられたコネクタに接続されるフレキシブルフラットケーブルとを備え、前記フレキシブルフラットケーブルは、導体と、この導体を被覆した絶縁部と、前記導体の端末を露出した端末接続部と、この端末接続部の近傍の前記絶縁部に沿って装着された補強板とからなる電子機器において、
前記補強板は、前記コネクタの内部に挿入され、少なくとも一部が前記絶縁部に固着された挿入領域と、前記コネクタの外部に露出され、前記絶縁部に固着されない非挿入領域と、これら挿入領域と非挿入領域との境界近傍に形成された折り曲げ部とを備え、前記非挿入領域の幅を、前記挿入領域の幅より広く形成し、前記非挿入領域の前記折り曲げ部側に、前記コネクタに当接する位置決め部を形成するとともに、前記非挿入領域を、前記コネクタに着脱する際に把手として機能するように構成したことを特徴とする電子機器。
【請求項２】
電気要素と、この電気要素に設けられたコネクタに接続されるフレキシブルフラットケーブルとを備え、前記フレキシブルフラットケーブルは、導体と、この導体を被覆した絶縁部と、前記導体の端末を露出した端末接続部と、この端末接続部の近傍の前記絶縁部に沿って装着された補強板とからなる電子機器において、
前記補強板は、前記コネクタの内部に挿入され、少なくとも一部が前記絶縁部に固着された挿入領域と、前記コネクタの外部に露出され、前記絶縁部に固着されない非挿入領域と、これら挿入領域と非挿入領域との境界近傍に形成された折り曲げ部とを備え、前記非挿入領域の幅を、前記挿入領域の幅より広く形成したことを特徴とする電子機器。
【請求項３】
導体と、この導体を被覆した絶縁部と、前記導体の端末を露出した端末接続部と、この端末接続部の近傍の前記絶縁部に沿って装着された補強板とからなるフレキシブルフラットケーブルにおいて、
前記補強板は、前記端末接続部側に、少なくとも一部が前記絶縁部に固着された挿入領域と、前記絶縁部に固着されない非挿入領域と、これら挿入領域と非挿入領域との境界近傍に形成された折り曲げ部とを備え、前記非挿入領域の幅を、前記挿入領域の幅より広く形成したことを特徴とするフレキシブルフラットケーブル。
【請求項４】
前記非挿入領域の前記折り曲げ部側に、位置決め部を形成するとともに、前記非挿入領域を、把手として機能するように構成したことを特徴とする請求項３に記載のフレキシブルフラットケーブル。
【請求項５】
前記補強板は、凸字状に形成されていることを特徴とする請求項３または請求項４に記載のフレキシブルフラットケーブル。
【発明の詳細な説明】
【技術分野】
【０００１】
本発明は、例えば、電子機器内部において、電気要素間を接続するフレキシブルフラットケーブルおよびこのフレキシブルフラットケーブルを備えた電子機器に関し、特に、簡単な構成により、電気要素に設けられたコネクタへの着脱を容易に行うことができるようにしたものである。
【背景技術】
【０００２】
一般に、電子機器であるＤＶＤ駆動装置付きテレビジョンにあっては、例えば、装置本体の制御用のメインのプリント回路基板と、ＤＶＤ駆動装置を制御するＤＶＤ制御用のプリント回路基板との間を、可撓性を備えたフレキシブルフラットケーブルにより、電気的に接続している。
【０００３】
このようなフレキシブルフラットケーブルとして、従来では、例えば、端末部に近接した絶縁部に接着された接着部を有して絶縁部を補強する補強板に、接着部と略同一平面内に形成されるとともに、絶縁部に接着されない非接着部によって補強板に開放端を形成するようにしたものがある(例えば、特許文献１参照）。また、補強板の両縁がケーブル本体の両縁の外側に突出するように切り込みを入れて、その切り込みによって補強板の両縁の上端部を外向きに曲がるように突出させ、このケーブル本体の先端をコネクタに挿入したときに、突出部分の弾性によって、このケーブル本体をコネクタから抜け止め固定するようにしたものがある(例えば、特許文献２参照）。
【０００４】
また、ハウジングに開口された挿入口には接点部が配され、表面に導線が配された可撓性を有するフラットケーブルの挿入部を前記挿入口に挿入して、接点部と導線とを接続するための構造であって、ハウジングにおける前記挿入口の手前側には、フラットケーブルの挿入部付近を載置可能な載置面が形成される一方、フラットケーブルは、挿入部の後ろ側で山形に屈曲された状態で載置面上に載置可能にしたものがある(例えば、特許文献３参照）。
【特許文献１】特開２００５−４４５９７号公報
【特許文献１】特開平１１−１９１３２６号公報
【特許文献１】特開平１１−１８５８９１号公報
【発明の開示】
【発明が解決しようとする課題】
【０００５】
しかし、前述の特許文献１記載の構成では、フレキシブルフラットケーブルが可動部に接続されている場合に、補強板の端部に接する屈曲位置に上下の屈曲による応力が集中するのを緩和し、屈曲位置における断線を低減することはできるが、フレキシブルフラットケーブルのコネクタへの着脱については、考慮されていない。また、特許文献２記載の構成では、簡単な構成により、コネクタにフレキシブルフラットケーブルを挿入したときロックし、外力によりずれたり、抜けたりすることを防ぐことはできるが、フレキシブルフラットケーブルのコネクタへの着脱については、考慮されていない。更に、特許文献３記載の構成では、フレキシブルフラットケーブルをコネクタに挿入する際の座屈変形を防止することはできるが、コネクタの構造が特殊なものとなり、この種装置の価格が高騰する。また、フレキシブルフラットケーブルは、コネクタの上方からしか挿入することができないとともに、フレキシブルフラットケーブルの脱着については、全く考慮されておらず、適用箇所が制限される他、既設のコネクタには、この種フレキシブルフラットケーブルを用いることができないなどといった問題があった。
【０００６】
本発明は、上述した問題を解決するためになされたものであり、簡単な構成により、電気要素に設けられたコネクタへの着脱を容易に行うことができるフレキシブルフラットケーブルおよびこのフレキシブルフラットケーブルを備えた電子機器を提供することを目的とする。
【課題を解決するための手段】
【０００７】
かかる目的を達成するため、本発明では、電気要素と、この電気要素に設けられたコネクタに接続されるフレキシブルフラットケーブルとを備え、フレキシブルフラットケーブルは、導体と、この導体を被覆した絶縁部と、導体の端末を露出した端末接続部と、この端末接続部の近傍の絶縁部に沿って装着された補強板とからなる電子機器において、補強板は、コネクタの内部に挿入され、少なくとも一部が絶縁部に固着された挿入領域と、コネクタの外部に露出され、絶縁部に固着されない非挿入領域と、これら挿入領域と非挿入領域との境界近傍に形成された折り曲げ部とを備え、非挿入領域の幅を、挿入領域の幅より広く形成し、非挿入領域の折り曲げ部側に、コネクタに当接する位置決め部を形成するとともに、非挿入領域を、コネクタに着脱する際に把手として機能するように構成する。
【０００８】
この構成によれば、フレキシブルフラットケーブルの補強板の非挿入領域は、絶縁部に固着されず、しかも、補強板の挿入領域の幅より広く形成し、非挿入領域の折り曲げ部側に、コネクタに当接する位置決め部を形成するとともに、非挿入領域を、コネクタに着脱する際に把手として機能するように構成している。従って、非挿入領域を、折り曲げ部から折り曲げ、把手として機能する非挿入領域を指で掴むことにより、補強板の長さを殊更長くすることなく、極めて容易にフレキシブルフラットケーブルをコネクタに着脱することができる。また、非挿入領域を指で掴んで着脱しているので、導体に無理なストレスが加わらず、導体の断線を防ぐことができる。しかも、フレキシブルフラットケーブルの差込に際しては、位置決め部がコネクタに当接するので、確実に挿入でき、挿入状態を容易に確認することができる。更には、コネクタに特別な構成を必要としないので、既設のコネクタに対しても適用することができ、都合がよい。
【０００９】
また、本発明においては、電気要素と、この電気要素に設けられたコネクタに接続されるフレキシブルフラットケーブルとを備え、フレキシブルフラットケーブルは、導体と、この導体を被覆した絶縁部と、導体の端末を露出した端末接続部と、この端末接続部の近傍の絶縁部に沿って装着された補強板とからなる電子機器において、補強板は、コネクタの内部に挿入され、少なくとも一部が絶縁部に固着された挿入領域と、コネクタの外部に露出され、絶縁部に固着されない非挿入領域と、これら挿入領域と非挿入領域との境界近傍に形成された折り曲げ部とを備え、非挿入領域の幅を、挿入領域の幅より広く形成する。
【００１０】
この構成によれば、フレキシブルフラットケーブルの補強板の非挿入領域は、絶縁部に固着されず、しかも、補強板の挿入領域の幅より広く形成している。従って、その構成は極めて簡単であり、非挿入領域を、折り曲げ部から折り曲げ、非挿入領域を指で掴むことにより、補強板の長さを殊更長くすることなく、極めて容易にフレキシブルフラットケーブルをコネクタに着脱することができる。また、非挿入領域を指で掴んで着脱しているので、導体に無理なストレスが加わらず、導体の断線を防ぐことができる。しかも、コネクタに特別な構成を必要としないので、既設のコネクタに対しても適用することができ、都合がよい。
【００１１】
また、本発明においては、導体と、この導体を被覆した絶縁部と、導体の端末を露出した端末接続部と、この端末接続部の近傍の絶縁部に沿って装着された補強板とからなるフレキシブルフラットケーブルにおいて、補強板は、端末接続部側に、少なくとも一部が絶縁部に固着された挿入領域と、絶縁部に固着されない非挿入領域と、これら挿入領域と非挿入領域との境界近傍に形成された折り曲げ部とを備え、非挿入領域の幅を、挿入領域の幅より広く形成する。
【００１２】
この構成によれば、フレキシブルフラットケーブルの補強板の非挿入領域は、絶縁部に固着されず、しかも、補強板の挿入領域の幅より広く形成している。従って、その構成は極めて簡単であり、非挿入領域を、折り曲げ部から折り曲げ、非挿入領域を指で掴むことにより、補強板の長さを殊更長くすることなく、極めて容易にフレキシブルフラットケーブルをコネクタに着脱することができる。また、非挿入領域を指で掴んで着脱できるので、導体に無理なストレスが加わらず、導体の断線を防ぐことができる。しかも、コネクタに特別な構成を必要としないので、既設のコネクタに対しても適用することができ、都合がよい。
【００１３】
また、本発明においては、非挿入領域の折り曲げ部側に、位置決め部を形成するとともに、非挿入領域を、把手として機能するように構成する。この構成によれば、フレキシブルフラットケーブルの差込に際しては、位置決め部がコネクタに当接するので、確実に挿入でき、挿入状態を容易に確認することができ、都合がよい。更に、把手として機能する非挿入領域を指で掴むことにより、補強板の長さを殊更長くすることなく、極めて容易にフレキシブルフラットケーブルをコネクタに着脱することができる。
【００１４】
更に、本発明においては、補強板は、凸字状に形成する。この構成によれば、補強板を極めてシンプルな形状にすることができ、しかも、その段部を位置決め部として機能させることができるので、都合がよい。
【発明の効果】
【００１５】
本発明によれば、極めて簡単な構成により、電気要素に設けられたコネクタへの着脱を容易に行うことができるフレキシブルフラットケーブルおよびこのフレキシブルフラットケーブルを備えた電子機器を得ることができる。
【発明を実施するための最良の形態】
【００１６】
（第１実施形態）
以下、本発明の第１実施形態を図１乃至図７に基づいて説明する。図１は、本発明の一実施形態に係る電子機器であるＤＶＤ駆動装置付きテレビジョンの概略構成を示す斜視図、図２は、図１に示すＤＶＤ駆動装置付きテレビジョンの要部上面図である。図３は、図２に示すＤＶＤ駆動装置のコネクタとフレキシブルフラットケーブルとの接続状態を示す要部拡大斜視図である。図４は、図２に示す制御用のメインプリント回路基板のコネクタとフレキシブルフラットケーブルとの接続状態を示す要部拡大斜視図である。図５は、フレキシブルフラットケーブルの要部を拡大して示す裏面図、図６は、図５の補強板を折り曲げた状態を示す裏面図、図７は、図５のフレキシブルフラットケーブルの端末接続部を一部断面した側面図である。
【００１７】
図１に示すように、ＤＶＤ駆動装置付きテレビジョン１は、厚みの薄い略矩形状の本体ケース２を有している。本体ケース２は、図示しないスタンドや壁掛け機構などにより略鉛直に正立され、その正面側に矩形状の開口２１が設けられている。開口２１には、図２に示す映像表示手段である、例えば、液晶モジュール３の表示面である液晶パネル３１が嵌め込まれ、この液晶パネル３１において映像を表示することが可能となっている。
【００１８】
また、本体ケース２の上面には、幅方向に細長い矩形状の開口部２２が形成され、この開口部２２によって本体ケース２の内部と、外部とが連通するように構成されている。この開口部２２には、図示しないが、例えば、回転式のドアなどが装着され、ディスク状のＤＶＤやＣＤなどからなる記憶媒体Ｄを、図２に示すように、電気要素の一つであるＤＶＤ駆動装置４に導入および排出する際に、開閉されるように構成されている。
【００１９】
ＤＶＤ駆動装置付きテレビジョン１の制御用のメインのプリント回路基板５（電気要素の一つである）と、ＤＶＤ駆動装置４を制御するＤＶＤ制御用のプリント回路基板４１（電気要素の一つである）との間を、可撓性を備えたフレキシブルフラットケーブル６により、電気的に接続している。具体的には、プリント回路基板４１には、図３に示すようなコネクタ４２が、プリント回路基板５には、例えば、図４に示すようなコネクタ５２が、それぞれ実装され、これらコネクタ４２−５２に、フレキシブルフラットケーブル６の端末接続部６１が、それぞれ差し込まれている。このフレキシブルフラットケーブル６は、図３、図４および図７に示すように、複数本の導体６２と、この導体６２を被覆した絶縁部６３と、導体６２の端末を露出した端末接続部６１と、この端末接続部６１の近傍の絶縁部６３に沿って装着された補強板７とから構成されている。
【００２０】
コネクタ４２は、例えば、図３に示すように、ハウジング４３の前面に開口した挿入口４４が形成されるとともに、複数のスリット状のキャビティ４５が列設されている。キャビティ４５には、二股状のアーム形状をした端子４６が装着され、上方のアームの先端に、接点４６ａが形成されている。そして、同図に示すように、フレキシブルフラットケーブル６の端末接続部６１が、端子４６の二股状のアームを広げつつ差し込まれ、アームにより弾性的に挟持され、対応する導線６２と、接点４６ａとが接触して電気的に接続される。また、図４に示すプリント回路基板５に実装されたコネクタ５２も、図３に示すコネクタ４２と略同様に構成され、挿入口５４からフレキシブルフラットケーブル６の端末接続部６１が差し込まれ、対応する導線６２と、接点（不図示）とが接触して電気的に接続される。
【００２１】
かかる構成により、例えば、本体ケース２に設けられた図示しない操作部を操作し、開口部２２から図示しないディスクトレイを導出し、所望の記憶媒体Ｄを載せ、本体ケース２内に配設された、ＤＶＤ駆動装置４内に挿入し、当該記憶媒体Ｄに記憶されたデジタル動画情報などを再生し、液晶パネル３１に動画を表示することができる。
【００２２】
而して、本発明に従い、図３乃至図７に示すように、フレキシブルフラットケーブル６の補強板７は、例えば、図５に示すように凸字状に形成され、その幅Ｌ１が絶縁部６３と略同じ幅の側（凸字の上部）は、コネクタ４２（５２）の内部に挿入され、少なくとも一部が絶縁部６３に、例えば、接着剤により接着（固着）された挿入領域７１となる。また、その幅Ｌ２が、挿入領域７１の幅Ｌ１に比べて広い側（凸字の下部）は、コネクタ４２（５２）の外部に露出され、絶縁部６３に固着されない非挿入領域７２となる。即ち、非挿入領域７２の幅Ｌ２は、挿入領域７１の幅Ｌ１より広く形成されている。これら挿入領域７１と、非挿入領域７２との境界近傍には、折り曲げ部７３（図５および図６に点線で示す）が形成されている。また、非挿入領域７２の折り曲げ部７３側の先端には、コネクタ４２（５２）の前面の側端部４３ａ（５３ａ）に当接する位置決め部７４が形成されている。そして、非挿入領域７２は、図３、図４、図６および図７に示すように、折り曲げ部７３を境に折り曲げる（絶縁部６３から引き離す方向：矢印Ｘ参照）ことにより、フレキシブルフラットケーブル６をコネクタ４２（５２）に着脱する際に把手として機能するように構成されている。
【００２３】
以上の構成による本実施形態では、フレキシブルフラットケーブル６の補強板７の非挿入領域７２は、絶縁部６３に固着されず、しかも、補強板７の挿入領域７１の幅より広く形成し、非挿入領域７２の折り曲げ部７３側の先端に、コネクタ４２（５２）の前面の側端部４３ａ（５３ａ）に当接する位置決め部７４を形成するとともに、非挿入領域７２を、コネクタ４２（５２）に着脱する際に把手として機能するように構成している。従って、非挿入領域７２を、折り曲げ部７３から折り曲げ、把手として機能する非挿入領域７２を指で掴むことにより、補強板７の長さを殊更長くすることなく、極めて容易にフレキシブルフラットケーブル６をコネクタ４２（５２）に着脱することができる。また、非挿入領域７２を指で掴んで着脱しているので、導体６２に無理なストレスが加わらず、導体６２の断線を防ぐことができる。しかも、フレキシブルフラットケーブル６の差込に際しては、位置決め部７４がコネクタ４２（５２）の前面の側端部４３ａ（５３ａ）に当接するので、確実に挿入でき、挿入状態を容易に確認することができる。更には、コネクタ４２（５２）に特別な構成を必要としないので、既設のコネクタに対しても適用することができ、都合がよい。
【００２４】
また、本実施形態によれば、補強板７は、凸字状に形成すればよいので、その形状は、極めてシンプルであり、しかも、その段部を位置決め部７４として機能させることができるので、都合がよい。
【００２５】
（第２実施形態）
次に、本発明の第２実施形態について図８および図９を参照しながら説明する。図８は、本発明の第２実施形態に係る電子機器である画像読取装置の概略構成を示す側面図、図９は、図８に示すフレキシブルフラットケーブルの要部を拡大して示す裏面図である。なお、図８および図９において、上述した図１乃至図７と同じ符号を付した部分は、略同一のものを示すため、ここでは詳細な説明は省略する。以下、上述した第１実施形態との相違点を中心に説明する。
【００２６】
本実施形態では、図８に示すように、一方の電気要素が左右に可動する、例えば、画像読取装置に適用したものである。具体的には、ガラス板Ｇの上に載置された図示しない原稿を読取る画像読取り手段（電気要素の一つである）８と、この画像読取り手段８を駆動制御する制御手段が搭載されたプリント回路基板９（電気要素の一つである）とを、本発明に係るフレキシブルフラットケーブル６により接続したものである。画像読取り手段８およびプリント回路基板９に実装されたコネクタ８２、９２は、上述した第１実施形態と略同様に形成されている。
【００２７】
フレキシブルフラットケーブル６は、図９に示すように、上述した実施形態と同様、非挿入領域７２の幅Ｌ２（Ｌ３）が、挿入領域７１の幅Ｌ１より広く形成した補強板７が、絶縁部７３に装着されている。この非挿入領域７２の幅は、折り曲げ部７３から遠ざかるに従って、順次広く（Ｌ２＜Ｌ３）形成されている。その他の構成は、上述した第１実施形態と略同様である。
【００２８】
以上の構成による本実施形態よれば、上述した第１実施形態と同様の作用効果を奏する他、補強板７を掴む際、非挿入領域７２の手前側の幅Ｌ３がより広く形成されているので、コネクタ８２、９２への着脱に際し、より確実に触感により確認することができ、都合がよい。また、読取り手段８などのように、左右（上下であってもよい）に駆動される電気要素に、フレキシブルフラットケーブル６を接続した場合、非挿入領域７２が絶縁部６３に固着されていない。従って、読取り手段８の駆動に伴ってフレキシブルフラットケーブル６が屈曲される位置が分散され、より長寿命化が図れるので、都合がよい。
【００２９】
なお、上述した各実施形態は、本発明の好適な実施例であるが、本発明はこれに限定されるものではなく、本発明の要旨を逸脱しない範囲において、種々変形実施可能である。
【００３０】
例えば、上述した各実施形態では、フレキシブルフラットケーブル６の両端部に本発明を適用したが、一方がコネクタなどとの接続が極めて行い易い場合には、他方のみ、即ち、片方のみに本発明を適用してもよいのは、勿論である。更には、非挿入領域７２の形状は、手で掴みやすい形状にすれば良く、上述した各実施形態のような形状に限られるものではない。
【図面の簡単な説明】
【００３１】
【図１】本発明の一実施形態に係る電子機器であるＤＶＤ駆動装置付きテレビジョンの概略構成を示す斜視図である。
【図２】図１に示すＤＶＤ駆動装置付きテレビジョンの要部上面図である。
【図３】図２に示すＤＶＤ駆動装置のコネクタとフレキシブルフラットケーブルとの接続状態を示す要部拡大斜視図である。
【図４】図２に示す制御用のメインプリント回路基板のコネクタとフレキシブルフラットケーブルとの接続状態を示す要部拡大斜視図である。
【図５】フレキシブルフラットケーブルの要部を拡大して示す裏面図である。
【図６】図５の補強板を折り曲げた状態を示す裏面図である。
【図７】図５のフレキシブルフラットケーブルの端末接続部を一部断面した側面図である。
【図８】本発明の第２実施形態に係る電子機器である画像読取装置の概略構成を示す側面図である。
【図９】図８に示すフレキシブルフラットケーブルの要部を拡大して示す裏面図である。
【符号の説明】
【００３２】
１      電子機器（ＤＶＤ駆動装置付きテレビジョン）
４      電気要素（ＤＶＤ駆動装置）
４１    電気要素（プリント回路基板）
４２    コネクタ
５      電気要素（プリント回路基板）
５２    コネクタ
６      フレキシブルフラットケーブル
６１    端末接続部
６２    導体
６３    絶縁部
７      補強板
７１    挿入領域
７２    非挿入領域
７３    折り曲げ部
７４    位置決め部
８      電気要素（画像読取り手段）
８２    コネクタ
９      電気要素（プリント回路基板）
９２    コネクタ
【図１】
2008181772.tif 000003
【図２】
2008181772.tif 000004
【図３】
2008181772.tif 000005
【図４】
2008181772.tif 000006
【図５】
2008181772.tif 000007
【図６】
2008181772.tif 000008
【図７】
2008181772.tif 000009
【図８】
2008181772.tif 000010
【図９】
2008181772.tif 000011